(57)【要約】【課題】  長さや形状等の規格の異なる電池を電池ボックス内に内装し、あるいは取り出す際における操作を容易にした電池ボックスを提供する。【解決手段】  長さの短い第１の電池と長さの長い第２の電池を選択して長さ方向に内装可能なボックス部１１の開口部を覆う位置に進退可能な可動電池接片１１５を備える。可動電池接片１１５は第１の電池を内装したときに開口部１１１を覆う位置に進出され、第２の電池を内装したときにボックス部１１内に収納されるように構成する。電池接片１１３を第２の電池を適正に内装できる構成となるように設計しておけば、第１の電池と電池蓋との間に可動電池接片１１５を介在させれば、第１及び第２の電池の内装、取り出しに際しての電池蓋１２の開閉操作を小さな操作力で適切に行うことが可能になる。【選択図】  図４
2006221825.tif 000002
【特許請求の範囲】
【請求項１】
開口部を通して長さの短い第１の電池と長さの長い第２の電池を選択して長さ方向に内装し、内装した電池に対して電池接片を電気接触させるボックス部と、前記ボックス部の前記開口部を開閉する電池蓋とを有する電池ボックスであって、前記ボックス部の前記開口部を覆う位置に進退可能な可動電池接片を備え、前記可動電池接片は前記第１の電池を内装したときに前記開口部を覆う位置に進出され、前記第２の電池を内装したときに前記ボックス部内に収納されるように構成したことを特徴とする電池ボックス。
【請求項２】
前記可動電池接片は前記ボックス部の前記開口部の縁部において前記電池の内装方向に沿って回動可能に支持され、前記ボックス部の内側面に設けられた収納凹部内に収納される内方位置と前記開口部を開放する外方位置との間で回動可能であることを特徴とする請求項１に記載の電池ボックス。
【請求項３】
前記可動電池接片を前記開口部を開放する方向に付勢するバネ手段を備えることを特徴とする請求項２に記載の電池ボックス。
【請求項４】
前記可動電池接片を前記開口部を覆う位置に保持するためのクリック機構を備えることを特徴とする請求項３に記載の電池ボックス。
【請求項５】
前記可動電池接片は前記収納凹部内にスライド構造により収納される構成であることを特徴とする請求項１又は２に記載の電池ボックス。
【請求項６】
前記可動電池接片は前記ボックス部の前記開口部の対向する両辺にそれぞれ一対設けられていることを特徴とする請求項１ないし５のいずれかに記載の電池ボックス。
【請求項７】
前記第１の電池は単３形電池であり、前記第２の電池はＣＲ−Ｖ３電池であり、前記可動電池接片は２本の単３形電池を相互に電気接続する短絡接片として構成されていることを特徴とする請求項１ないし６のいずれかに記載の電池ボックス。
【発明の詳細な説明】
【技術分野】
【０００１】
本発明は規格の異なる電池を使用することが可能なカメラに設けられた電池ボックスに関するものである。
【背景技術】
【０００２】
近年のカメラの多くは専用の電池を使用するように構成されている。例えば、リチウム一次電池はリチウム二次電池に較べると重量エネルギ密度と体積エネルギ密度が高く、特に消費電力の高いデジタルカメラの電源に用いて好適である。しかしながら、カメラ用に開発されているリチウム一次電池は製造しているメーカが少なく、販路も未だ十分ではないため海外等では入手が難しくカメラを使用する際には不便を感じることがある。そのため近年では、汎用のリチウム一次電池や専用のリチウム二次電池以外にも海外等でも入手が容易な汎用型の単３形電池を使用することが可能なカメラが提供されている。例えば、特許文献１では、専用電池の電池ボックスを覆うカメラボディの一部を電池室形成部材として引き出し構造とし、この電池室形成部材を引き出したときに専用電池の代わりに単３形電池を格納することができるようにしている。このようにすることで、専用電池が入手できない場合でも、入手し易い単３形電池でカメラを使用することが可能になる。
【特許文献１】特開２００２−２０８３８７号公報
【０００３】
また、本出願人が提供しているデジタルカメラにおいてもリチウム一次電池の他に単３形電池を使用することができるような構造がとられている。例えば、図１に示すデジタルカメラは、カメラボディ１のグリップ部３内に電池ボックス１０を構成し、カメラボディ１の底板１ａに設けた電池蓋１２をヒンジにより開閉して電池ボックス１０内に電池を出し入れするものである。また、電池蓋１２は閉じた状態でＢ１方向にスライドさせることで係止を行い、電池蓋１２が開くことがないように構成されている。このデジタルカメラでは、６Ｖの電源で駆動するように構成されているため、前記電池ボックス１０には４本の単３形電池、あるいは２本のＣＲ−Ｖ３電池（リチウム一次電池）のいずれかを選択して使用することができる。図１４（ａ）のように、単３形電池Ｄ１は所要の径寸法ｄ１及び長さ寸法Ｌ１をした円柱状をしており、図の上端面に正電極＋が、他端面に負電極−が設けられている。ＣＲ−Ｖ３電池Ｄ２は図１４（ｂ）のように、単３形電池を２本並列配置したと同様な構成であり、したがって単３形電池とほぼ同じ幅寸法ｄ２を有しているが、長さ寸法Ｌ２は単３形電池Ｄ１よりも若干寸法（略２．５ｍｍ）だけ長く形成され、一端面に正電極＋と負電極−が並んで設けられている。
【０００４】
このように４本の単３形電池と２本のＣＲ−Ｖ３電池を使用することができるようにするため、電池ボックスは４本の単３電池を２×２の配列で並列状態に装填可能であり、ＣＲ−Ｖ３電池は２本を厚さ方向に並列状態に装填可能とされている。また、図示は省略するが、電池ボックスの電池蓋の内面には電池の電極に接して電気接続を行うためにバネ性のある金属片を加工した電池接片を固定しており、電池蓋を閉めたときに当該電池接片が電池の電極に弾接して電気接続を行うようになっている。
【発明の開示】
【発明が解決しようとする課題】
【０００５】
本出願人が提案している前述した電池ボックスでは、特許文献１のようにカメラボディの外側に電池室形成部材を引き出す必要がないため、カメラの外観を損なわないととともにカメラの保持性や使い勝手を損なわないという利点がある。しかしながら、単３形電池とＣＲ−Ｖ３電池の長さ（高さとも言う）の寸法差が大きいため、電池蓋１２を閉じたときに電池接片と電池電極との接触に際して問題が生じる。すなわち、図１５（ａ），（ｂ）は同じ電池ボックス１１内に単３形電池Ｄ１とＣＲ−Ｖ３電池Ｄ２を装填したときの状態を比較して示す断面図である。同図（ａ）のように長さの短い単３形電池Ｄ１の電極＋に電池接片１１２を適切に弾接させるために電池接片１１２のバネ力を設計すると、同図（ｂ）のように、長さの長いＣＲ−Ｖ３電池Ｄ２を使用したときには電池接片１１２の撓み寸法が大きくなり、当該電池接片１１２のバネ力が大きなものとなる。そのため、このバネ力はＣＲ−Ｖ３電池Ｄ２の底部において電池蓋１２に作用するようになり、電池蓋１２を閉めるときに比較的に大きな力が必要となり、電池蓋１２が閉め難くなる。また、閉じた状態にある電池蓋１２に対しては常時電池接片１２のバネ力が大きい状態で加えられていることになるため、電池蓋１２を開く際に係止を外すべく電池蓋１２をスライドさせる際の操作も困難になる。逆に電池接片１１２のバネ力を小さくすると、長さの短い単３形電池Ｄ１を内装したときに電池蓋１２側に設けて単３形電池を直列接続するために電池ボックスの反対側に設けられる電池接片（図示せず）において単３形電池Ｄ１の電極に対する電気接触が不十分なものになる。
【０００６】
本発明の目的は、長さ寸法等の規格の異なる電池を電池ボックス内に内装したときの適切な電気接触を可能にするとともに、電池を内装しあるいは取り出す際における操作を容易に行うことを可能にした電池ボックスを提供するものである。
【課題を解決するための手段】
【０００７】
本発明は、開口部を通して長さの短い第１の電池とそれよりも長さの長い第２の電池を選択して長さ方向に内装し、内装した電池に電池接片を電気接触させるボックス部と、当該ボックス部の開口部を開閉する電池蓋とを有する電池ボックスであって、ボックス部の開口部を覆う位置に進退可能な可動電池接片を備えており、可動電池接片は第１の電池を内装したときに開口部を覆う位置に進出され、第２の電池を内装したときにボックス部内に収納されるように構成したことを特徴とする。例えば、可動電池接片はボックス部の開口部の縁部において電池の内装方向に沿って回動可能に支持され、ボックス部の内側面に設けられた収納凹部内に収納される内方位置と開口部を開放する外方位置との間で回動可能な構成とする。
【発明の効果】
【０００８】
本発明によれば、長さの長い第２の電池を内装したときに電池接片による電気接触が適切となように設計しておくことで、当該第２の電池の内装、取り出し操作、特に電池蓋の開閉操作を小さな操作力で適切に行うことが可能になるとともに、長さの短い第１の電池の場合には、電池蓋との間に可動電池接片を介在させるので、実質的には第２の電池と同じ長さの電池を内装する場合と同等となり、電池接片による適切な電気接触での内装を可能にするとともに、可動電池接片に対しても好適な電気接触が可能となり、電池の内装、取り出しに際しての電池蓋の開閉操作を小さな操作力で適切に行うことが可能になる。
【発明を実施するための最良の形態】
【０００９】
本発明においては、可動電池接片を開口部を開放する方向に付勢するバネ手段を備えることで、電池の内装、取り出し時における可動電池接片の操作を低減することができる。特に、可動電池接片を開口部を覆う位置に保持するためのクリック機構を備えることで、操作を最小限にすることができる。また、可動電池接片は収納凹部内にスライド構造により収納される構成とすることで、構造の簡易化が実現できる。さらに、可動電池接片はボックス部の開口部の対向する両辺にそれぞれ一対設けられることで、４本の単３形電池を内装する場合に適用できる。
【実施例１】
【００１０】
次に、本発明の実施例を図面を参照して説明する。図１は本発明をレンズ交換式のデジタル一眼レフカメラに適用した実施例１を前面下方から見上げた斜視図である。図１においてカメラボディ１の前面にはレンズマウント２が配設されており、このレンズマウント２には図には表れない撮像レンズが装着される。前記カメラボディ１の前面から見て左側には撮影者がカメラを右手で保持する際のグリップ部３が設けられており、このグリップ部３の上面には図には表れないレリーズボタンや、同図に一部が示されているメインスイッチ４や設定ダイヤル５が配設されている。また、前記グリップ部３内にはカメラボディ１と別体に形成された電池ボックス１０が内装されており、この電池ボックス１０は前記カメラボディ１の底板１ａの一部を構成するとともに、当該電池ボックス１０の後述する下側開口部を開閉するための電池蓋１２を備えている。この電池蓋１２は下側開口部を開閉する際に、図１のＡ１方向及びこれと反対のＡ２方向に回動でき、また図１のＢ１方向及びこれと反対のＢ２方向にスライドさせることが可能とされている。
【００１１】
図２は図１のカメラボディ１から前記電池ボックス１０を取り出した状態の斜視図である。前記電池ボックスは下端部を開口した下側開口部１１１を有する箱状のボックス部１１と、この下側開口部１１１を開閉する前記電池蓋１２とで構成され、それぞれ樹脂成形によって形成される。前記ボックス部は４本の単３形電池を縦横に２本ずつ配列した状態で、あるいは２本のＣＲ−Ｖ３電池を並列状態に内装することができる内容積の形状、寸法に形成されており、前記電池蓋１２はこのボックス部１１１の下側開口部１１１の一側において開閉可能にヒンジ１２１により連結されている。また、前記ボックス部１１の下側開口部１１１の端面には、前記スライド方向Ｂ１に沿った両側部にそれぞれ電池蓋係止片１１２が突出形成されている。これらの電池蓋係止片１１２は下側開口部１１１の端面に固定的に形成されており、当該端面との間に前記Ｂ１方向と反対のＢ２方向に開放した係止溝を構成するように断面が逆Ｌ字型に形成されている。
【００１２】
一方、前記電池蓋１２の内面の前記各電池蓋係止片１１２に対向する両側位置には、前述のように電池蓋をＢ１方向にスライドしたときにそれぞれ前記電池蓋係止片１１２に係合可能な断面がＬ字型をした電池蓋係止爪１２２が突出形成されている。したがって、電池蓋１２をＡ１方向に回動して閉じた上で、カメラボディ１の底板と平行な図１のＢ１方向にスライドしたときには各電池蓋係止片１１２にそれぞれ電池蓋係止爪１２２が係止し、電池蓋１２をボックス部１１に対して係止するようになっている。反対に、電池蓋１２を図１のＢ１方向と反対のＢ２方向にスライドさせることで電池蓋係止片１１２と電池蓋係止爪１２２との係止が外れ、さらにヒンジ１２１により電池蓋をＡ２方向に開くことができるようにされている。なお、前記ヒンジ１２１は電池蓋１２をボックス部１１に対して矢印Ｂ１，Ｂ２方向に小寸法だけスライドさせることができるようにルーズな連結構成とされている。
【００１３】
図３は前記電池ボックス１０を上下を反対に向け、かつ電池蓋１２を除いた外観斜視図である。また、図４は電池蓋１２を含む図３のＸ−Ｘ線に沿う縦断面図である。前記ボックス部１１の上部（図３，４では下部）には内装される４本の単３形電池の電極、換言すれば２本のＣＲ−Ｖ３電池の各２つの電極に対応する４箇所の側面位置にそれぞれ開口窓１１ａが開設され、各開口窓１１ａを通してそれぞれバネ性を有する金属板を帯状に曲げ加工した４つの電池接片１１３が内装されている。各電池接片１１３は先端部１１３ａがボックス部１１内の上底面にまで進入されるとともに、ほぼ「く」字型に曲げられ、ボックス部１１に内装される電池の各電極に接触することが可能とされている。ここで、長さの長いＣＲ−Ｖ３電池を内装したときに、当該ＣＲ−Ｖ３電池の底部がボックス部１１の下側開口部１１１から小寸法だけ突出し、電池蓋１２を容易に開閉操作することができるように前記各電池接片１１３はその先端部１１３ａが適切な寸法及びバネ力となるように設計されている。前記各電池接片１１３の基端部１１３ｂはボックス部１１の外側底面に沿って延設されるとともに、当該外側底面に設けた係止爪１１ｂに係合されて脱落することが防止されている。なお、前記４つの電池接片１１３はそれぞれ図には表れない導電リードによってカメラ内部の回路に電気接続されることは言うまでもない。
【００１４】
また、前記ボックス部１１の下部側の互いに対向する側面領域部、すなわちＣＲ−Ｖ３電池を内装したときに各ＣＲ−Ｖ３電池の正面に対応する側面領域において、前記開口部１１１から所要の寸法領域がそれぞれ外方に向けて突出された突出部１１４が設けられており、これらの突出部１１４の縁部には一対の可動電池接片１１５がそれぞれ図の上下方向に回動可能に、換言すれば観音開き動作が可能に支持されている。これら可動電池接片１１５は金属板を加工したものであり、前記ボックス部１１内に単３形電池が内装されたときに、隣接する単３型電池の＋電極と−電極にそれぞれ接触して両電極を直列に短絡させるものである。各可動電池接片１１５は蝶羽根形状とされ、内面には単３形電池の＋電極と−電極にそれぞれ接触可能な凸部１１５ａと円形穴１１５ｂが設けられている。また、外面には電池蓋１２の内面に当接する当接突起１１５ｃが曲げ形成されている。
【００１５】
前記ボックス部１１の前記突出部１１４の外側面にはバネ性のある金属板を加工した軸受板１１６がネジ１１ｃにより固定されており、この軸受板１１６によって支軸１１７が水平状態に両端支持され、この支軸１１７に前記可動電池接片１１５の基端部が軸支されている。前記支軸１１７にはトーションバネ１１８が巻回されており、このトーションバネ１１８によって前記可動電池接片１１５を下側開口部１１１の外側に向けて回動するように付勢している。さらに、前記軸受板１１６の一部には前記支軸１１７方向に向けて舌片状をしたクリックバネ片１１６ａが一体に設けられており、このクリックバネ片１１６ａは前記可動電池接片１１５の基部に設けられた逆Ｌ字状のクリック片１１５ｄが可動電池接片１１５と共に回動されたときにその回動途中位置において対面することが可能とされている。
【００１６】
また、前記ボックス部１１の前記突出部１１４の内面側には前記可動電池接片１１５を内側面に沿って収納するための収納凹部１１９が形成されている。すなわち、図５に図３と同様の斜視図を示すように、前記可動電池接片１１５が支軸１１７によりボックス部１１の内方に向けて回動されたときに、可動電池接片１１５をボックス部１１の内側面に沿った状態で収納凹部１１９内に収納し、これにより可動電池接片１１５を収納凹部１１９内に収納した状態でも前記各電池をボックス部１１内に内装することができるようになっている。
【００１７】
以上の構成の電池ボックス１０に電池を内装し、また取り出す際の操作を説明する。図６は電池ボックスにＣＲ−Ｖ３電池を内装する状態を示している。なお、以降に参照する図はカメラを上下反対に向けて電池を内装する場合を示している。図６（ａ）のように、電池蓋１２をＡ２方向に開いた状態でボックス部１１の下側開口部１１１から２本のＣＲ−Ｖ３電池を内装する。このとき、図３及び図４に示したように可動電池接片１１５はトーションバネ１１８によって外方に付勢されているが、クリック片１１５ｄはクリックバネ片１１６ａの外側に係合されているため、可動電池接片１１５はボックス部１１の下側開口部１１１を覆う位置にある。この状態からＣＲ−Ｖ３電池Ｄ２をボックス部１１に内装して行くと、可動電池接片１１５は電池Ｄ２に押されてトーションバネ１１８のバネ力に抗してボックス部１１内にまで回動され、ＣＲ−Ｖ３電池Ｄ２を内装したときには図６（ｂ）に示すようにボックス部１１内の収納凹部１１９内に収納される。この状態は図５に示した状態と同様である。また、この状態を図７の縦断面図に示す。したがって、可動電池接片１１５を直接操作しなくとも電池Ｄ２の内装を行うことは可能である。
【００１８】
ボックス部１１内にＣＲ−Ｖ３電池Ｄ２を内装すると、電池接片１１３は当該ＣＲ−Ｖ３電池Ｄ２に対応させた適切な寸法及びバネ力に設計されているので、ＣＲ−Ｖ３Ｄ電池Ｄ２の電極が電池接片１１３に接触したときに電池接片１１３に生じるバネ力は小さく、ＣＲ−Ｖ３電池Ｄ２をボックス部１１の奥まで内装させることができる。したがって、図８の縦断面図に示すように、この状態で電池蓋１２をＡ１方向に回動してボックス部１１の下側開口部１１１を閉じ、さらに閉じた状態のまま電池蓋１２をＢ１方向にスライドすると、図２に示した電池蓋係止爪１２２が電池蓋係止片１１３の係止溝内に入り込むため、電池蓋１２はボックス部１１に係止され、電池蓋１２は閉じた状態が保持されることになる。反対に電池Ｄ２を電池ボックス１０から取り出すときには、電池蓋を図１のＢ２方向にスライドさせると電池蓋係止爪１２２が電池蓋係止片１１３の係止溝から外れ、電池蓋１２をヒンジ１２１の軸回りのＡ２方向に回転して開放することでボックス部１１から電池Ｄ２を取り出すことが可能になる。
【００１９】
一方、電池ボックスに単３形電池を内装するときには、図９（ａ）に示すように、一対の可動電池接片１１５をボックス部１１の長さ方向に沿った方向に開いた状態にする。このとき、図１０に縦断面図を示すように、クリック片１１５ｄはクリックバネ片１１６ａを乗り越えて内方に位置され、可動電池接片１１５はトーションバネ１１８のバネ力によってその開いた状態が保持される。これによりボックス部１１の下側開口部１１１が開放された状態になり、４本の単３形電池Ｄ１をボックス部１１に内装することが可能になる。
【００２０】
ボックス部１１内に単３形電池Ｄ１を内装した後は、図９（ｂ）及び図１１に示すように、可動電池接片１１５を下側開口部１１１を覆う位置まで戻すと、クリック片１１５ｄはクリックバネ片１１６ａを反対方向に乗り越え、可動電池接片１１５は単３形電池Ｄ１の底部上に重なる状態となる。ただし、この状態では内装された単３形電池Ｄ１はボックス部１１内の電池接片１１３のバネ力によって図の上方に付勢されているので、可動電池接片１１５は電池Ｄ１により下方から突き上げられており、若干開いた状態にある。
【００２１】
その後は、ＣＲ−Ｖ３電池の場合と同様に、図１２に示すように、電池蓋をＡ１方向に回動して閉じることで、電池蓋１２の内面が可動電池接片１１５の裏面の当接突起１１５ｃに当接され、可動電池接片１１５は電池蓋１２によって単３形電池Ｄ１側に押圧されるので、内装された単３電池端子Ｄ１の電極はそれぞれ可動電池接片１１５に接触され、各２本の単３形電池Ｄ１を直列に短絡して電気接続する。また、同時に電池蓋１２と単３形電池Ｄ１との間に可動電池接片１１５が介在された状態となるので、単３形電池Ｄ１の長さがＣＲ−Ｖ３電池よりも短くても単３形電池Ｄ１は電池蓋１２及び可動電池接片１１５によって上部方向（同図の下方向）に押される形となり、各単３形電池Ｄ１の上部の電極は電池接片１１３に適切なバネ力によって電気接触される。その上で電池蓋１２をＢ１方向にスライドして図２に示した電池蓋係止爪１２２を電池蓋係止片１１２に係合させることで電池蓋１２を閉じた状態に保持できる。この際における電池接片１１３によるバネ力は前述のように予め小さく設計されているので、電池蓋１２を小さい力でスライドさせることが可能になる。このように単３形電池Ｄ１を内装する際には、可動電池接片１１５を開く位置に操作し、その後に閉じる操作を行うことが必要となるが、この操作のみでよく、電池の内装操作を最小限の操作で行うことができる。単３形電池Ｄ１を電池ボックス１０から取り出すときには電池蓋１２を図２のＢ２方向にスライドさせるが、この場合でも小さい力でスライドさせることができる。電池蓋１２を開いたときにはトーションバネ１１８のバネ力を利用して可動電池接片１１５を両側に開いた状態とすることで図９（ａ）の状態とすることができるためボックス部１１から単３形電池Ｄ１を取り出すことが可能になる。
【００２２】
このように、実施例１では、電池ボックス１０の電池接片１１３を長さの長いＣＲ−Ｖ３電池に適正なバネ力が得られるように設計しておくことで、ＣＲ−Ｖ３電池の内装、取り出し操作、特に電池蓋１２の開閉操作を小さな操作力で適切に行うことが可能になる。一方、長さの短い単３形電池の場合には、電池蓋１２との間に可動電池接片１１５を介在させるので、実質的にはＣＲ−Ｖ３電池と同じ長さの電池を内装したと同等となり、電池接片１１３の撓み量をほぼ同じにし、電池接片１１３において適切なバネ力での電気接触を確保するとともに、可動電池接片１１５についても好適な電気接触が可能となり、しかも電池の内装、取り出しに際しての電池蓋１２の開閉操作を小さな操作力で適切に行うことが可能になる。
【実施例２】
【００２３】
実施例１では可動電池接片１１５を回動させてボックス部１１内の収納凹部１１９に収納させていたが、可動電池接片１１５をスライドして収納凹部１１９に収納させるようにしてもよい。例えば、図１３（ａ）に要部の概略的な縦断面図を示すように、可動電池接片１１５の支軸１１７の両端部を収納凹部１１９の内面両側に長さ方向に沿って設けた一対のガイド溝１１ｄに支持させ、当該支軸１１７をボックス部１１の長さ方向にスライド移動可能に構成する。また、この実施例２では実施例１の軸受板１１６は省略している。なお、トーションバネ１１８はバネ力の小さいものを設けているが、これは省略してもよく、単に可動電池接片１１５を支軸１１７に対して回動可能に支持させた構成としてもよい。
【００２４】
実施例２では、ＣＲ−Ｖ３電池を内装する場合には可動電池接片１１５を収納凹部１１９内に押し込むことにより、図１３（ｂ）のように、支軸１１７がガイド溝１１ｄに沿って同図のＣ１方向にスライド移動されるので、可動電池接片１１５を収納凹部１１９に収納させることができ、ＣＲ−Ｖ３電池を実施例１と同様にボックス部１１に内装できる。一方、単３形電池を内装する場合には、支軸１１７をガイド溝１１ｄに沿わせながら可動電池接片１１５を収納凹部１１９から引き出すことにより、図１３（ａ）に示したように可動電池接片１１５をボックス部１１の下側開口部１１１外にまでスライド移動させ、この状態で可動電池接片１１５を開いて単３形電池を内装する。その後は可動電池接片１１５を閉じて単３形電池上に覆うように閉じ、その上で電池蓋１２を閉じればよい。各電池を取り出す場合はそれぞれ逆の操作をすればよい。
【００２５】
実施例２では、可動電池接片１１５を収納させる際、あるいは単３形電池上を覆う状態に位置させる際の手作業が実施例１に比較して多少増えるが、構造を実施例１よりも簡略化することができるので、簡易構成あるいは安価な電池ボックスに適用する上では有効である。
【００２６】
なお、前記各実施例では単３電池とＣＲ−Ｖ３電池を使用することが可能な電池ボックスの例を示したが、長さ及び形状の異なる電池をそれぞれ使用することが可能で、電池蓋をヒンジにより回動し、かつスライドして係止する構成の電池ボックスであれば本発明を同様に適用することが可能である。また、本発明はカメラの電池ボックスに限られるものではなく、電池を電源とする各種電子機器の電池ボックスに適用することが可能である。
【図面の簡単な説明】
【００２７】
【図１】本発明の実施例１のカメラを前面側の下方向から見た斜視図である。
【図２】実施例１の電池ボックスの斜視図である。
【図３】電池ボックスを上下反対に向けた斜視図である。
【図４】図３のＸ−Ｘ線に沿う縦断面図である。
【図５】可動電池接片を収納した状態の斜視図である。
【図６】ＣＲ−Ｖ３電池を内装する操作を説明するための斜視図である。
【図７】ＣＲ−Ｖ３電池を内装する途中の状態の縦断面図である。
【図８】ＣＲ−Ｖ３電池を内装した状態の縦断面図である。
【図９】単３形電池を内装する操作を説明するための斜視図である。
【図１０】単３形電池を内装する途中の状態の縦断面図である。
【図１１】単３形電池を内装する途中の状態の縦断面図である。
【図１２】単３形電池を内装した状態の縦断面図である。
【図１３】実施例２の一部の縦断面図である。
【図１４】単３形電池とＣＲ−Ｖ３電池を比較した斜視図である。
【図１５】単３形電池とＣＲ−Ｖ３電池を電池ボックスに内装した状態を示す一部の縦断面図である。
【符号の説明】
【００２８】
１  カメラボディ
２  レンズマウント
３  電池蓋
１０  電池ボックス
１１  ボックス部
１２  電池蓋
１１２  電池蓋係止片
１１３  電池接片
１１５  可動電池接片
１１６  軸受板
１１７  支軸
１１８  トーションバネ
１１９  収納凹部
１２２  電池蓋係止爪
Ｄ１  単３形電池
Ｄ２  ＣＲ−Ｖ３電池
【図１】
2006221825.tif 000003
【図２】
2006221825.tif 000004
【図３】
2006221825.tif 000005
【図４】
2006221825.tif 000006
【図５】
2006221825.tif 000007
【図６】
2006221825.tif 000008
【図７】
2006221825.tif 000009
【図８】
2006221825.tif 000010
【図９】
2006221825.tif 000011
【図１０】
2006221825.tif 000012
【図１１】
2006221825.tif 000013
【図１２】
2006221825.tif 000014
【図１３】
2006221825.tif 000015
【図１４】
2006221825.tif 000016
【図１５】
2006221825.tif 000017